(57)【特許請求の範囲】
【請求項１】
エンジン（２）、ミッションケース（３）等の駆動部（４）を搭載した機体フレーム（５）に左右一対の走行装置（６）を備え、この一対の走行装置（６）により圃場を走行しながら作物を収穫する収穫機において、
前記走行装置（６）は、前記駆動部（４）から機体フレーム（５）に亘って上下方向に設けられた伝動フレーム（４４）と、該伝動フレーム（４４）の下部から左右方向に延伸した伝動軸（４５）と、前記伝動フレーム（４４）に内蔵され且つ駆動部（４）からの動力を伝動軸（４５）に伝達する第１伝動機構（４６）と、前記伝動軸（４５）に対して上部が左右位置調整自在に連結され且つ下部に駆動輪（４７）を備えた第１の脚部（４８）と、該第１の脚部（４８）に内蔵され且つ伝動軸（４５）からの動力を駆動輪（４７）に伝達する第２伝動機構（４９）と、を備えていることを特徴とする作物の収穫機。
【請求項２】
前記伝動フレーム（４４）に、下方に延伸する第２の脚部（５０）を左右位置調整自在に備え、該第２の脚部（５０）の下部に、前記駆動輪（４７）から前後に離れて配設される車輪（５１）を備え、前記駆動輪（４７）と車輪（５１）との前後間を空間（Ｘ）に形成していることを特徴とする請求項１に記載の作物の収穫機。
【請求項３】
前記機体フレーム（５）に、作物（Ｓ）の茎葉部（Ｓ１）を挟持して後方へ搬送しながら引抜く引抜き搬送装置（７）を備え、
前記伝動フレーム（４４）を、側面視で枠形状に形成するとともにその立面部に前記引抜き搬送装置（７）を側方から視認可能な窓（Ｍ）を形成し、
前記伝動フレーム（４４）に、下方に延伸する第２の脚部（５０）を左右位置調整自在に備えるとともに、該第２の脚部（５０）の下部に、前記駆動輪（４７）から前後に離れて配設される車輪（５１）を備え、且つ前記駆動輪（４７）と前記車輪（５１）との前後間を空間（Ｘ）に形成していることを特徴とする請求項１に記載の作物の収穫機。
【請求項４】
前記機体フレーム（５）の前部に、互いに掻き込み方向に回転して作物（Ｓ）の茎葉部（Ｓ１）を左右間に掻き込む左右一対の掻き込みホイール（８）を備え、この一対の掻き込みホイール（８）の左右間隔を調整する調整手段（３５ａ，３５ｂ）を備えていることを特徴とする請求項１〜３のいずれかに記載の作物の収穫機。
【発明の詳細な説明】
【０００１】
【発明の属する技術分野】
本発明は、圃場に植え付けた生姜や玉ねぎ等の作物を収穫する収穫機に関するものである。
【０００２】
【従来の技術】
従来より、エンジン、ミッションケース等の駆動部を上部に搭載した機体フレームに、左右一対の走行装置と、生姜等の作物を機体中央側に掻き込むための掻き込みホイールと、掻き込んだ茎葉部を左右から挟んで後方に搬送しながら作物を引抜く左右一対の引抜き搬送ベルトと、を備えた収穫機が公知である（例えば、特公平６−６１１７３号公報、特公平８−１３２１５号公報参照）。
この従来の収穫機における走行装置は、側面視で三角形の枠形状を呈する伝動ケースを機体フレームの左右側部に固定し、この伝動ケースの底辺の前後端にそれぞれ駆動車軸を設け、該駆動車軸に駆動輪を装着したものとなっており、ミッションケースの出力軸を伝動ケース内の上部に接続するとともに、該出力軸と前後の駆動車軸とを三角配置とされたチェーン伝動機構で接続することにより前後駆動輪に動力を伝達するものとなっていた。
【０００３】
また、機体フレームの前部には駆動輪とは別に左右一対の補助車輪設けられ、駆動輪と合わせて６輪型とされるものであった。
【０００４】
【発明が解決しようとする課題】
前記従来の収穫機は、主に、畝の長手方向に対して直交する方向に走行しながら作物を収穫するものとして利用されており、これは、収穫機を６輪型とすることによって畝間の溝の上方を通過するときでも少なくとも４輪を畝上面に接地でき、安定した走行が行えるからである。
その一方で、地域性や作物の植付形態によっては、収穫機で畝を跨いだ状態で該畝の長手方向に沿って走行しながら収穫を行う場合もあり、この場合に前記従来の収穫機を用いると、以下のような問題を生じるものとなっていた。
【０００５】
すなわち、畝の左右幅は作物の種類や植付条数等によって広狭があり、畝を跨いで走行する場合は、この畝幅に対応して左右走行装置の幅（間隔）を調整する必要が生じる。しかし、従来の収穫機では、駆動輪を装着した伝動ケースを機体フレーム側面に固定しているために、伝動ケースの左右位置をほとんど調整できず、また、駆動車軸の長さの範囲で駆動輪を左右位置調整自在にすることも行われているが、駆動車軸は畝に近接する低位置に配置されるためそれほど長くは形成できず、駆動輪の調整範囲も限られるものとなり、結局、左右走行装置の間隔を確実に畝幅に対応させるのは困難であった。
【０００６】
また、前記伝動ケースは、三角形の枠形状とすることにより、その立面部に形成された窓を介して側方から引抜き搬送装置を視認できるという効果を奏し、これにより作物の搬送の状況を監視しながら作業が行えるようになっていた。しかし、この伝動ケースは地面に近接する位置にまで下方に延伸し、前後駆動輪間には伝動ケースの底辺が配設されることから、畝から引抜かれる作物の茎根部の監視は伝動ケースの底辺が障害となって行い難く、また、走行路面に大きな起伏がある場合には、伝動ケースの底辺が路面に接触して走行の抵抗となる恐れもあった。
【０００７】
一方、従来の収穫機の掻込みホイールでは、茎葉部のボリューム（太さ）が大きい場合に一対のホイール間に茎葉部を詰まらせる恐れがあり、これでは、ホイールの回動を妨げるとともに引抜き搬送ベルトへの受け渡しも円滑に行えず、詰まった茎葉部を取り除くために作業を中断する等、効率を悪くする原因となっていた。
そこで本発明は、上記のような実情に鑑み、左右駆動輪を大きい調整範囲で左右位置調整できるようにすることで畝幅の広狭にも確実に対応し、畝を跨いだ状態での収穫作業であっても好適に行い得る収穫機を提供することを目的とする。
【０００８】
また、引抜き搬送装置による作物の引抜き状況を好適に監視することができる収穫機を提供することを目的とする。
また、茎葉部のボリュームが大きい場合でも、左右一対の掻き込みホイール間に茎葉部を詰まらせることなく、円滑に掻き込みホイールを回転させることができる作物の収穫機を提供することを目的とする。
【０００９】
【課題を解決するための手段】
本発明は、上記目的を達成するために以下の技術的手段を講じている。
すなわち、本発明は、エンジン、ミッションケース等の駆動部を搭載した機体フレームに左右一対の走行装置を備え、この一対の走行装置により圃場を走行しながら作物を収穫する収穫機において、
前記走行装置は、前記駆動部から機体フレームに亘って上下方向に設けられた伝動フレームと、該伝動フレームの下部から左右方向に延伸する伝動軸と、前記伝動フレームに内蔵され且つ駆動部からの動力を伝動軸に伝達する第１伝動機構と、前記伝動軸に対して上部が左右位置調整自在に連結され且つ下部に駆動車輪を備えた第１の脚部と、該第１の脚部に内蔵され且つ伝動軸からの動力を駆動車輪に伝達する第２伝動機構と、を備えていることを特徴とするものである。
【００１０】
これによれば、駆動部からの動力を伝動フレーム内の第１伝動機構を介して伝動軸に伝達し、この伝動軸からの動力を第１脚部内の第２伝動機構を介して駆動輪に伝達し、駆動輪を回転駆動することによって収穫機を走行可能とする。
そして、伝動フレームの下部に伝動軸を設けるとともに、この伝動軸に駆動輪を備えた第１の脚部を連結していることから、前記伝動軸を第１脚部の高さの分だけ畝から上方に離れた高位置に配設することができ、これによって伝動軸の左右長さを長く形成できるようになる。その一方で、第１の脚部を伝動軸に対して左右位置調整自在に連結することで、駆動輪の左右位置調整範囲を大きく設定でき、畝の広狭にも確実に対応できるものとなる。
【００１１】
また、本発明は、前記伝動フレームに、下方に延伸する第２の脚部を左右位置調整自在に備え、該第２脚部の下部に前記駆動輪から前後に離れて配設される車輪を備え、前記駆動輪と車輪との前後間を空間に形成していることを特徴とするものである。
この場合、駆動輪と車輪によって安定した走行が可能であるとともに、第２の脚部を伝動フレームの下部に左右位置調整自在に構成することで駆動輪と同様畝の左右幅に対応可能であり、車輪と駆動輪との間を空間に形成することによって、畝から引抜かれる作物の茎根部等を側方から視認できるようになっている。また、従来のように前後の車輪の間に伝動ケースが配設されず空間となっていることから、地面に起伏があっても走行の抵抗となることもなくなる。
【００１２】
なお、上記の車輪は、非駆動とされた従動車輪であってもよいし、第１伝動機構から適宜伝動機構を介して回転駆動する駆動車輪としてもよい。
そして、本発明は、前記機体フレームに、作物の茎葉部を挟持して後方へ搬送しながら引抜く引抜き搬送装置を備え、前記伝動フレームを、側面視で枠形状に形成するとともにその立面部に前記引抜き搬送装置を側方から視認可能な窓を形成し、前記伝動フレームに、下方に延伸する第２の脚部を左右位置調整自在に備えるとともに該第２の脚部の下部に前記駆動輪から前後に離れて配設される車輪を備え、且つ前記駆動輪と車輪との前後間を空間に形成していることを特徴とするものである。
【００１３】
これによって、上記と同様、駆動輪とともに車輪を左右位置調整して畝幅に対応可能であるとともに、駆動輪及び車輪が取り付けられる伝動フレームを枠形状とすることで強度向上が図れ、更に、この伝動フレームが機体フレームの補強となる。そして、駆動輪と車輪との間を空間に形成することで、伝動フレームの窓を介して引抜き搬送装置による茎葉部の搬送状態を監視できるだけでなく、作物の茎根部等の引抜き状況も駆動輪と車輪との間から監視可能となる。
また、前記機体フレームの前部に、互いに掻き込み方向に回転して作物の茎葉部を左右間に掻き込む左右一対の掻き込みホイールを備え、この一対の掻き込みホイールの左右間隔を調整する調整手段を備えることによって、茎葉部のボリュームが大きい場合には、一対のホイール間隔を広く設定することにより、茎葉部の詰まりを防止でき、作業を中断することなく円滑な収穫が行えるようになる。
【００１４】
【発明の実施の形態】
以下本発明の実施の形態を図面を参照して説明する。
図１及び図２に示すように、本発明に係る収穫機１は、エンジン２、ミッションケース３等の駆動部４を搭載した機体フレーム５に、左右一対の走行装置６と、生姜等の作物Ｓの茎葉部Ｓ１を挟んで後方に搬送しながら引抜く引抜き搬送装置７と、引抜き搬送装置７の始端側において茎葉部Ｓ１を機体中央側に掻き込む左右一対の掻き込みホイール８と、掻き込んだ茎葉部Ｓ１を切断するカッター装置９と、掻き込みホイール８の前側で左右に傾倒した茎葉部Ｓを引き起こす引起こし装置１０と、を備えて主構成されたものとなっている。
【００１５】
そして、例えば、収穫機１により畝Ｒを跨いだ状態でその長手方向に走行しながら、引起こし装置１０により畝Ｒに植え付けた作物Ｓの茎葉部Ｓ１を引起こし、引き起こした茎葉部Ｓ１を掻き込みホイール８によって機体中央側に掻き込みつつその上部側をカッター装置９で切断し、引抜き搬送装置７によって茎葉部Ｓ１の下部側を挟持して後方に搬送しながら畝Ｒから引抜くものとなっている。
前記機体フレーム５は、第１フレーム１１と第２フレーム１２とを備えており、第１フレーム１１は、前後方向に伸びる角パイプ等の枠部材１３を左右一対備え、この一対の枠部材１３を、その前後においてアーチ状の連結部材１４により連結することにより構成されている。
【００１６】
第２フレーム１２は、枠部材１３に沿って前後方向に延伸するとともに、該枠部材１３の左右外側に配設されるようになっており、その詳細については後述する。
前後連結部材１４の上部間には架台１６が設けられ、該架台１６上の前側にエンジン２、後側にミッションケース３がそれぞれ搭載されており、エンジン２からの動力が伝動ケース１７内の伝動機構を介してミッションケース３に伝達されるようになっている。また、ミッションケース３の後側には、後方に延伸する左右一対の操縦ハンドル１５が設けられている。
【００１７】
前記引抜き搬送装置７は、左右枠部材１３の間に配設される左右一対の引抜き搬送ベルト１９を有し、該搬送ベルト１９は、それぞれ左右枠部材１３から左右内方に突出した支持部材を介して前方側より後方側が若干高くなるような略水平状に支持されており、枠部材１３の後端側に左右一対の駆動プーリ２０を備え、前端側に左右一対の従動プーリ２１を備え、これらに搬送ベルト１９を巻回して構成されている。
また、左右駆動プーリ２０は、ミッションケース３からの動力で回転する左右一対の縦軸２２に取り付けられおり、該縦軸２２の回転によって左右一対の搬送ベルト１９を図２の矢示Ａ方向に回走駆動可能としている。
【００１８】
前記掻き込みホイール８は、硬質合成樹脂材又は金属材等によって外周部に複数の爪を有する円盤状に形成され、図４及び図５にも示すように、前記従動プーリ２１の支軸２１ａから上方に延伸した左右一対の駆動軸２４に対して上下多数段に設けられており、本実施形態では、左側の駆動軸２４に４枚、右側の駆動軸２４に５枚の掻き込みホイール８Ｌ，８Ｒが固定され、左右ホイール８Ｌ，８Ｒは高さ方向に段違いとされているとともに、平面視で若干オーバーラップするようになっている。
【００１９】
そして、従動プーリ２１に同調して駆動軸２４が回転することで、左右掻き込みホイール８Ｌ，８Ｒが互いに掻き込み方向（矢示Ａ方向）に回転し、作物Ｓの茎葉部Ｓ１を機体左右中央側へと掻き込むようになっている。
なお、右側の各掻き込みホイール８Ｒ間には、円筒状のガイド体２５が介在されており、該ガイド体２５によって駆動軸２４に対する茎葉部Ｓの絡まり等を防止している。
前記左右掻き込みホイール８Ｌ，８Ｒの間には、後述するカッター装置９によって切断した茎葉部Ｓ１を機体側方に放出案内する上下複数の放出ガイド板２６が設けられており、該放出ガイド板２６は、左側の各掻き込みホイール８Ｌ間及び最上段の掻き込みホイール８Ｌ上にあって前方に弯曲する弯曲部２６ａと、この弯曲部２６ａより平面視にて後斜めに延伸して右側の掻き込みホイール８Ｒの後方側に配置される放出案内部２６ｂとを有し、上下中途部のガイド板２６がエンジン２の前部に支持ブラケット２７を介して支持されるとともに、各ガイド板２６がその左右両端部において連結杆２８を介して互いに連結されるようになっている。
【００２０】
前記支持ブラケット２７上には、上方に伸びるとともにその上端が前方に屈曲した側面視Ｌ字状の支柱３０が立設され、支柱３０の前端（上端）部には、正面視門型形状のサポート部材３１が固定され、該サポート部材３１の両端部には、左右駆動軸２４の上端が回転自在に連結されており、ここに、サポート部材３１によって左右駆動軸２４の上端間隔を保持可能としている。
また、右側の掻き込みホイール８Ｒの右側方には、上下複数の第２放出ガイド板３２が設けられており、この第２放出ガイド３２は、右側の各掻き込みホイール８Ｒ間にあって円筒ガイド体２５の外側面から前斜めに延伸し、その前端部が互いに連結杆３３を介して連結され、該連結杆３３の上端部が前記サポート部材３１の一側に支持されている。
【００２１】
したがって、左右掻き込みホイール８Ｌ，８Ｒ間に掻き込んだ茎葉部Ｓ１は、掻き込み直後においてカッター装置９により切断されるとともに、放出ガイド板２６に案内されて左右外方（右方）に放出され、また、第２放出ガイド板３２は、切断した茎葉部Ｓ１が再び右側の掻き込みホイール８Ｒ及び円筒ガイド体２５に巻き込まれるようなことを防止している。
ここで、本発明においては、左右一対の掻き込みホイール８Ｌ，８Ｒの間隔を調整自在とする調整手段を備えており、該調整手段は、図４及び図５に示すように、駆動軸２４の上端間隔を調節する上調整部３５ａと、駆動軸２４の下端間隔を調整する下調整部３５ｂとを有している。
【００２２】
上調整部３５ａは、前記サポート部材３１を左右中途部において２分割構造とするとともに、一方（右側）の分体３１Ｒ端部を筒型に形成し、他方（左側）の分体３１Ｌ端部を一方３１Ｒに対して摺動自在に挿入したものとなっており、この摺動操作によってサポート部材３１を左右に伸縮し、左右駆動軸２４の上端間隔を拡縮できるようにしている。また、左右の分体３１Ｌ，３１Ｒは、固定ボルト等の適宜固定手段によりその伸縮が固定され、左右駆動軸２４を所定の間隔で位置決め可能としてある。
【００２３】
なお、サポート部材３１は、その左分体３１Ｌが支柱３０に固定されていることから、実際には、左側の駆動軸２４の位置が固定となり、これに対して右側の駆動軸２４が左右移動可能となっている。
一方、左右駆動輪２４（従動プーリ２１の支軸２１ａ）の下端は、枠部材１３から左右内方に突出した支持部材３７によってそれぞれ支持されており、下調整部３５ｂは、図５の底面図で示すように、左右支持部材３７のうち右側の支持部材３７を左右揺動可能とすることにより右側の駆動軸２４を左右位置調整可能に構成している。
【００２４】
具体的には、右側の枠部材１３から左右内方に保持板３８を突出するとともに、該保持板３８の裏面側に支持部材３７の板面部３７ａを重ね合わせ、両者を前後左右のボルト３９によって連結する一方で、板面部３７ａ側のボルト孔３７ｂのうち、右前のものを左右方向の長孔に、左後のものを前後方向の長孔に、左前のものを斜め方向の長孔にそれぞれ形成しており、右後側のボルト３９を支点として保持板３８に対する板面部３７ａの取付角度を変えることにより、支持部材３７の前端部を左右方向に揺動可能としている。
【００２５】
以上のことから、上下調整部３５ａ，３５ｂを介して右側の掻き込みホイール８Ｒを左側の掻き込みホイール８Ｌに対して左右移動することで両者の重なり代を調整でき、作物の茎葉部Ｓ１のボリューム（太さ）が大きい場合でも、左右掻き込みホイール８Ｌ，８Ｒ間に茎葉部Ｓを詰まらせることなく円滑に各ホイール８Ｌ，８Ｒを回転させることが可能となる。
前記カッター装置９は、図１及び図２に示すように、放出ガイド板２６の裏面側で上下方向に立設した回動軸４１を備え、該回動軸４１は、放出ガイド板２６等にブラケット等を介して回動自在に支持されるとともに、左側の駆動軸２４からの動力がチェーン伝動機構等を介して伝達されるようになっている。
【００２６】
また、回動軸４１には、上下複数の円盤カッター４２が固定され、各カッター４２は、高さ方向に段違いとされた左右ホイール８Ｌ，８Ｒの上下間に配置され、その前端部が放出ガイド板２６から前方突出して、平面視で左右ホイール８Ｌ，８Ｒに若干オーバーラップするように設けられている。
本実施形態では、回動軸４１の上下端部及び中間部に合計３枚のカッター４２を備えており、掻き込みホイール８Ｌ，８Ｒで掻き込んだ茎葉部Ｓ１が短い場合でも下側のカッター４２によって切断可能であるとともに、長い茎葉部Ｓ１の場合には短寸に切断して円筒ガイド体２５等への巻き付きを防止し、側方への放出を容易なものとしている。また、右引抜き搬送ベルト１９の駆動プーリ２０下側にもカッター４２を設けており、畝Ｒから引抜いた作物Ｓの茎葉部Ｓ１が機体側に引っ掛かって引きずられることなく切り離し可能としてある。
【００２７】
図１に示すように、機体フレーム５を構成する第２フレーム１２は、その後端の一部を走行装置６の伝動フレーム４４により構成したものであり、この走行装置６は、図２及び図３にも示すように、第１フレーム１１上の駆動部４（ミッションケース３）側方から第２フレーム１２の下部に亘って上下方向に設けられた前記伝動フレーム４４と、該伝動フレーム４４の下部から左右方向外方に延伸した伝動軸４５と、伝動フレーム４４に内蔵され且つ駆動部４からの動力を伝動軸４５に伝達する第１伝動機構４６と、伝動軸４５に対して上部が左右位置調整自在に連結され且つ下部に駆動輪４７を備えた第１の脚部４８と、該第１の脚部４８に内蔵され且つ伝動軸４５からの動力を駆動輪４７に伝達する第２伝動機構４９と、伝動フレーム４４に第２の脚部５０を介して設けられた従動輪５１（本発明に係る車輪）と、を備えて主構成されている。
【００２８】
そして、前記駆動輪４７はエンジン３の下方となる機体の前後略中央に、従動輪５１は機体の後部側にそれぞれ配設され、また、機体の前部側には補助車輪７１が設けられるようになっている。
伝動フレーム４４は、角パイプ等の中空部材を側面視三角形に枠組することにより構成されており、その上下中途部が第１フレーム１１の枠部材１３に対して連結具５３を介して固定されている。そして、伝動フレーム４４の上頂角部には、ミッションケース３の出力軸３ａに取り付けた駆動スプロケット５４が内蔵され、伝動フレーム４４の底辺側の前後頂角部には、従動スプロケット５５が内蔵され、これらスプロケット５４，５５に対して伝動チェーン５６を三角形状に巻回することにより前記第１伝動機構４６が構成されている。
【００２９】
ここで、伝動フレーム４４は三角形の枠形状を呈することにより、その強度が向上されて第２フレーム１２の補強効果を奏しており、そして、伝動フレーム４４の立面部には窓Ｍが形成されるとともに、この窓Ｍを横切るように引抜き搬送ベルト１９が配設されていることから、引抜き搬送ベルト１９による茎葉部Ｓ１の搬送状況を窓Ｍを介して左右側方から視認可能となっている。
前側の従動スプロケット５５の支軸５５ａには、前記伝動軸４５が一体回転自在に連結されており、該伝動軸４５は六角軸等の角軸に形成されている。一方、第１の脚部４８は中空の箱型に形成されるとともに、その上端部が伝動軸４５に対して軸受５２を介して左右方向摺動自在で相対回転自在に連結され、第１脚部４８内の伝動軸４５上には、駆動スプロケット５８が左右移動自在で且つ一体回転可能に装着されている。
【００３０】
そして、第１の脚部４８の下端には、駆動輪４７の車軸５９ａが回転自在に支持されるとともに、該車軸５９ａには従動スプロケット５９が取り付けられ、この従動スプロケット５９及び駆動スプロケット５８に伝動チェーン６０を巻回することで前記第２伝動機構４９が構成されている。
したがって、ミッションケース３の出力軸３ａからの動力が、第１，第２伝動機構４６，４９を介して駆動輪４７に伝達され、該駆動輪４７を回転駆動することによって収穫機１を走行可能としており、また、第１の脚部４８の軸受５２部分には固定ボルト等の適宜固定手段が設けられ、該固定手段により伝動軸４５に対する第１の脚部４８の左右位置を位置決め可能としている。
【００３１】
前記伝動フレーム４４の後頂角部の内側には、左右方向の支持筒６３が固定されており、該支持筒６３には左右方向摺動自材に摺動軸６４が挿入され、該摺動軸６４の外端部には下方に延伸する前記第２の脚部５０が固定され、該第２脚部５０の下端部に前記従動輪５１が回転自在に支持されている。また、図２に示すように、支持筒６３及び摺動軸６４の外面には、軸心方向に複数の位置決め孔６５，６６が形成されており、双方の位置決め孔６５，６６のいずれかを選択して合致させるとともに位置決めピン等を挿入することにより、従動輪５１の左右方向の位置決めが可能となっている。
【００３２】
前記摺動軸６４には、前下方に突出する連結杆６７が固定され、該連結杆６７の前端部は第１脚部４８の上下中途部にボルト等により連結されており、この連結杆６７を介して第１の脚部４８を前下方に向く傾斜姿勢に、第２の脚部５０を後下方に向く傾斜姿勢に相互保持することによって、第１，第２脚部４８，５０が互いにハの字状を呈するように構成されている。
ここで、機体フレーム５を構成する第２フレーム１２は、その一部である伝動フレーム４４を枠形状として強度を向上していることから、この部分に脚部４８，５０を介して駆動輪４７及び従動輪５１を設けることによって機体フレーム５がが収穫機１全体の荷重にも耐え得る構造となり、更に第１、第２脚部４８，５０をハの字状に配置することにより、駆動輪４７及び従動輪５１の前後間隔を広く設定して安定した走行を可能としている。
【００３３】
また、駆動輪４７及び従動輪５１の前後間には空間Ｘが形成されており、該空間Ｘを介して畝Ｒの作物Ｓの引抜き状態を側方から視認できるようにしている。
すなわち、伝動フレーム４４の窓Ｍによって引抜き搬送ベルト１９による茎葉部Ｓ１の搬送状態を監視できるだけでなく、空間Ｘを介して作物Ｓの引抜き状況も監視可能であり、これによって、確実に作物の収穫作業を管理できるものとなっている。
そして、第１，第２脚部４８，５０をハの字状に配置し、また、連結杆６７を前下方に傾斜状態とすることにより前記空間Ｘをより広く形成することができるようになっている。
【００３４】
図１，図２及び図６に示すように、第１の脚部４８の前側上下中途部には前方へ突出する支持体６８が設けられ、該支持体６８の先端には、左右方向の支軸６９回りに回動自在にアーム７０の上端が連結され、このアーム７０の下端には、前記補助車輪７１が回転自在に連結されている。
したがって、本実施形態の収穫機は、左右一対の駆動輪４７、従動輪５１、及び補助車輪７１とを有する６輪型とされ、畝Ｒの長手方向に直交する方向に走行して収穫作業を行う場合にあっては、畝間の溝上方を通過するときでも少なくとも４輪を畝Ｒ上面に接地させることが可能であり、これによって安定した走行が行えるようになっている。
【００３５】
一方、走行装置６により畝Ｒを跨いで走行しながら収穫作業を行う場合には、第１脚部４８を伝動軸４５に対して左右方向に位置調整するとともに、支持筒６３に対して第２の脚部５０上端の摺動軸６４を左右位置調整することで、左右の各車輪４７，５１，７１の間隔を拡縮し、畝幅に対応させる。
この際、伝動軸４５及び摺動軸６４は、畝Ｒから上方に離れた比較的高い位置に配設されているために、その左右長さを長く形成しても畝Ｒには接触せず、従って、各車輪４７、５１、７１の左右間隔の調整範囲を広く設定可能となっている。これにより、畝幅の広狭にも確実に対応でき、畝Ｒと直交する方向の収穫作業だけでなく、畝Ｒの長手方向に沿う方向の収穫作業をも好適に行えるのである。
【００３６】
なお、補助車輪７１は、支軸６９を中心としたアーム７０の回動を介して、下方の接地状態と上方の退避状態とに位置変更可能であり、圃場の枕地等で収穫機１を旋回する場合には、補助車輪７１を上方に退避して地面から浮かせ且つ操縦ハンドル１５を引き上げて従動輪５１を浮かせることにより、左右駆動輪４７のみによる小回り旋回を可能としている。また、従動輪５１は、非駆動型であることから地面から浮かせた際に、付着した土が作業者側に飛散するようなことを防止している。
【００３７】
また、補助車輪７１の上下位置変更は後述する引起こし装置１０と連動して操作手段７３によって行われるようになっている。
機体フレーム５を構成する第２フレーム１２は、伝動フレーム４４の下部から前方に延伸するとともに、その延伸端には、左右一対の引起こし装置１０を平面視で前方拡開状に備えている。
この引起こし装置１０は、図１，図２に示すように、第２フレーム１２の前端にギヤケース７８を取り付けるとともに、このギヤケース７８の入力軸７９は、ベルト伝動機構よりなる第１伝動部８０及び第２伝動部８１を介して第１伝動機構４６に接続され、ギヤケース７８の出力軸７８ａには駆動プーリ７６が取り付けられ、ギヤケース７８に設けた支持具８２に従動プーリ７７が取り付けられ、これらプーリ７６，７７に引起こしベルト７５を巻回することにより構成されている。
【００３８】
引起こしベルト７５の外周部には、多数の引起こし爪７５ａを突出しており、引起こしベルト７５を図２の矢示Ｂ方向に回走することにより、作物Ｓの茎葉部Ｓ１を引起こし爪７５ａで引き起こして掻き込みホイール８へと導くようになっている。
図６に示すように、前記ギヤケース７８は、その入力軸７９の軸心回りに回転自在となるように第２フレーム１２に設けられており、引起こし装置１０を前下方に向けた作業姿勢と、略水平となる退避姿勢とに姿勢変更可能となっている。そして、第２フレーム１２とギヤケース７８との連結部分には、引起こし装置１０を各姿勢に保持するための固定ピン８３が抜挿自在に設けられている。
【００３９】
したがって、引起こし装置１０を下向きの作業姿勢とすることで、倒伏した茎葉部Ｓ１であっても確実に引起こし可能となり、上方（略水平）の退避姿勢とすることで、収穫機１を旋回する際に従動輪５１を浮かせた場合（機体前部の下げたとき）でも、引起こし装置１０が畝Ｒ等に接触することがなく円滑な旋回が行えるのである。
なお、引起こし装置１０は、ギヤケース７８における出力軸７８ａの軸心回りにも回動自在とされ、且つ所定角度で位置決め可能となっており、これにより左右引起こし装置１０の前端間隔を調整できるようになっている。従って、左右引起こし装置１０の左右間隔も畝の左右幅に対応して拡縮でき、畝幅が広い場合であっても幅全体に亘る茎葉部Ｓ１の引起こしが可能となっている。
【００４０】
前記操作手段７３は、図１及び図６に示すように、ミッションケース３の後方から左右側方に突出した支持軸８４に回動自在に連結された操作ハンドル８５を有し、また、操作ハンドル８５と一体に回動する操作杆８６を有している。そして、この操作杆８６の前端には連動ロッド８７の後端が枢結され、連動ロッド８７の前端は、ギヤケース７８に固定のアーム８８前端に枢結されている。
また、操作ハンドル８５にはハンドルレバー８９が設けられ、このハンドルレバー８９と固定ピン８３とはプッシュプルケーブルよりなる連繋具９０によって接続されており、レバー８９を操作することで固定ピン８３を抜き方向に操作してギヤケース７８の回動を可能とし、レバー８９を戻すことにより引起こし装置１０を所定の下向き姿勢又は略水平姿勢に保持するようにギヤケース７８の回動を固定可能としてある。
【００４１】
したがって、ハンドルレバー８９を操作した状態で操作ハンドル８５を支持軸８４回りに前方揺動すると、操作杆８６を介して第１連動ロッド８７が後方に引かれて引起こし装置１０を略水平の退避姿勢とし、ハンドルレバー８９を解除することにより固定ピン８３でその姿勢を保持可能となる。また、この逆の操作をすることにより引起こし装置１０を下向きの作業姿勢とすることができるようになっている。
一方、補助車輪７１を支持するアーム７０には、後方へ突出する突片９１が設けられ、アーム７０を支持する支持体６８には、上下方向の長孔９２ａを有する中継片９２がその上端側を前後揺動自在として枢結されており、前記突片９１の後端に枢結された中継ロッド９３の後端が中継片９２の長孔９２ａに挿通、連結されている。また、中継片９２の上端部には第２連動ロッド９４の前端が枢結され、該第２連動ロッド９４の後端は操作ハンドル８５の上下中途部に枢結され、アーム７０と支持体６８との間には該アーム７０を上方揺動する方向に付勢する引張りバネ９５が設けられている。
【００４２】
したがって、操作ハンドル８５を後方に揺動して起立状態とした場合には、アーム７０が、第２連動ロッド９４、中継片９２、中継ロッド９３及び突片９１により引っ張られて補助車輪７１を下方の接地状態に保持し、引起こし装置１０を退避姿勢とするべく操作ハンドル８５を前方揺動すると、第２連動ロッド９４等がアーム７０を上方揺動する方向に押上げて補助車輪７１を退避位置に移動するのである。また、引っ張りバネ９５は、その付勢力によってアーム７０の上方揺動を補助する役割を担っている。
【００４３】
一方、前記支持体６８には前後揺動自在に第２操作ハンドル９６が設けられ、第２操作ハンドル９６の上下中途部には中継ロッド９３の先端が枢結されており、固定ピン８３を解除した状態で、第２操作ハンドル９６を前方に揺動することによっても補助車輪７１を上方移動可能としている。
ところで、本発明は上記実施形態に限らず適宜設計変更可能である。
例えば、第１伝動機構４６は、上記実施形態のように三角形配置とするに限定されるものではなく、ミッションケース３側の駆動スプロケット５４と前下側の従動スプロケット５５との間で直線的に伝動チェーンを巻掛けたものとしてもよい。
【００４４】
また、従動輪５１を駆動型の車輪として構成してもよく、この場合、伝動フレーム４４内の後従動スプロケット５５の支軸に左右方向に延伸する伝動軸を設け、この伝動軸に第２の脚部５０を左右位置調整自在に連結するとともに、第２の脚部５０にチェーン伝動機構等を内蔵して車輪を回転駆動すればよい。
また、引抜き搬送装置７、カッター装置９等の詳細構造も上記実施形態に限定されるものではなく、掻き込みホイールの枚数等の変更可能である。本発明の収穫機１を補助車輪７１を省略した４輪型のものとしてもよい。
【００４５】
【発明の効果】
以上詳述したように、本発明によれば、畝幅の広狭に対応して左右走行装置の間隔を大きい調整範囲で拡縮できるようになり、畝を跨いだ状態での収穫作業も好適に行える。
また、駆動輪及び車輪の前後空間を利用して作物の引抜き状況を監視できるようになる。
そして、左右一対の掻き込みホイールの間隔を調整する調整手段を備えることにより、茎葉部のボリュームが大きい場合でも、左右ホイール間に茎葉部を詰まらせることなく円滑に掻き込みホイールを回転させることができる。
【図面の簡単な説明】
【図１】本発明の一実施形態に係る収穫機の側面図である。
【図２】同平面図である。
【図３】同走行装置の側面（一部断面）図である。
【図４】同掻き込みホイールの正面図である。
【図５】同掻き込みホイールの底面図である。
【図６】同操作手段の側面図である。
【符号の説明】
１    収穫機
４    駆動部
５    機体フレーム
６    走行装置
７    引抜き搬送装置
８    掻き込みホイール
４４    伝動フレーム
４５    伝動軸
４６    第１伝動機構
４７    駆動輪
４８    第１の脚部
４９    第２伝動機構
５０    第２の脚部
５１    従動輪（車輪）
Ｓ    作物
Ｓ１  茎葉部
Ｍ    窓
Ｘ    空間
【図１】
0003774082.tif 000002
【図２】
0003774082.tif 000003
【図３】
0003774082.tif 000004
【図４】
0003774082.tif 000005
【図５】
0003774082.tif 000006
【図６】
0003774082.tif 000007